【手続補正書】
【提出日】令和1年8月29日(2019.8.29)
【手続補正１】
【補正対象書類名】特許請求の範囲
【補正対象項目名】全文
【補正方法】変更
【補正の内容】
【特許請求の範囲】
【請求項１】
ピンに対し相対回転することなく嵌合した複数のリンクプレートからなる外側リンクと、前記ピンに対して相対回転可能に嵌挿した複数のリンクプレートからなる内側リンクとを交互にかつ無端状に連結したチェーンを、潤滑環境下で複数のスプロケットに巻掛け、かつ前記リンクプレートの背面をチェーンガイドに摺接して案内するチェーン伝動装置において、
前記潤滑環境は、潤滑油にモリブデン化合物を含有する摩擦調整剤が添加された環境であり、
前記チェーンガイドに摺接する前記リンクプレートの面積は、全ての前記リンクプレートの背面側面積の５０％以下の小面積であり、
前記チェーンガイドに摺接する前記リンクプレートの少なくとも摺接部分は、クロム成分を１０％以上含有する皮膜を有し、
境界潤滑領域において、前記モリブデン化合物の分解の過程でクロムに酸素を供給することにより二硫化モリブデンの生成を促進する、
ことを特徴とするチェーン伝動装置。
【請求項２】
前記外側リンクは、１対の前記ピンを固定したガイドリンクプレートと、該ガイドリンクプレートと同列に配置され、内径側に１対の歯を有する歯付きリンクプレートとからなり、
前記内側リンクは、前記ピンに回転自在に連結され、内径側に１対の歯を有する歯付きリンクプレートからなり、
前記チェーンは、前記外側リンクと前記内側リンクとを交互にかつ無端状に連結したサイレントチェーンである、
請求項１記載のチェーン伝動装置。
【請求項３】
前記外側リンクは、１対の前記ピンを固定した外側リンクプレートからなり、
前記内側リンクは、１対のブシュを固定した内側リンクプレートからなり、
前記チェーンは、前記ピンを前記ブシュに嵌挿して前記外側リンクと前記内側リンクとを交互かつ無端状に連結したローラチェーンである、
請求項１記載のチェーン伝動装置。
【請求項４】
前記ガイドリンクプレートは、背面側にクロッチ部と該クロッチ部の長手方向の両側に耳部を有し、
前記外側リンク及び前記内側リンクの歯付きリンクプレートは、背面がアール形状の中高であり、
前記ガイドリンクプレートの前記耳部の頂部と前記歯付きリンクプレートの前記中高の頂部とが、前記チェーンガイドに摺接する小面積を構成してなる、
請求項２記載のチェーン伝動装置。
【請求項５】
前記外側リンクの歯付きリンクプレート及び前記内側リンクの歯付きリンクプレートの少なくとも一方は、背面がアール形状の中高であり、
前記歯付きリンクプレートの前記中高の頂部が、前記チェーンガイドに摺接する小面積を構成してなる、
請求項２記載のチェーン伝動装置。
【請求項６】
前記外側リンクプレートは、背面がアール形状の中高であり、
前記内側リンクプレートは、背面がアール形状の中高であり、
前記外側リンクプレートの前記中高の頂部と前記内側リンクプレートの前記中高の頂部とが、前記チェーンガイドに摺接する小面積を構成してなる、
請求項３記載のチェーン伝動装置。
【請求項７】
前記外側リンクプレートは、ピッチラインから背面までの第１の高さを有し、
前記内側リンクプレートは、ピッチラインから背面までの第２の高さを有し、
前記外側リンクプレートの第１の高さと前記内側リンクプレートの第２の高さとは、一方が他方よりより高く、該高い方の前記外側又は内側リンクプレートのみが前記チェーンガイドに摺接して前記小面積を構成してなる、
請求項３記載のチェーン伝動装置。
【請求項８】
前記ガイドリンクプレートは、ピッチラインから背面までの所定高さを有し、
前記外側リンク及び前記内側リンクの歯付きリンクプレートは、ピッチラインから背面までの所定高さを有し、
前記ガイドリンクプレートの高さが前記歯付きリンクプレートの高さより高く、前記ガイドリンクプレートのみが前記チェーンガイドに摺接して前記小面積を構成してなる、
請求項２記載のチェーン伝動装置。
【請求項９】
前記ガイドリンクプレートは、ピッチラインから背面までの所定高さを有し、
前記内側リンクの歯付きリンクプレートと前記外側リンクの歯付きリンクプレートとは、ピッチラインから背面までの高さが異なり、
前記内側リンク及び前記外側リンクの高い方の歯付きリンクプレートが、低い方の歯付きリンクプレート及び前記ガイドリンクプレートの高さより高く、該高い方の前記内側又は外側リンクの歯付きリンクプレートのみが前記チェーンガイドに摺接して前記小面積を構成してなる、
請求項２記載のチェーン伝動装置。
【請求項１０】
前記皮膜の硬度は、６００［Ｈｖ］以上で、該皮膜の厚さは、３［μｍ］以上である、
請求項１ないし９のいずれか１項記載のチェーン伝動装置。
【請求項１１】
前記皮膜の表面粗さは、Ｒａ０．５以下である、
請求項１ないし９のいずれか１項記載のチェーン伝動装置。
【手続補正２】
【補正対象書類名】明細書
【補正対象項目名】０００７
【補正方法】変更
【補正の内容】
【０００７】
本発明は、ピン（１５，４５）に対し相対回転することなく嵌合した複数のリンクプレート（１６１，１７，４７）からなる外側リンク（１９，４９）と、前記ピンに対して相対回転可能に嵌挿した複数のリンクプレート（１６２，４６）からなる内側リンク（１８，４８）とを交互にかつ無端状に連結したチェーン（６…）を、潤滑環境下で複数のスプロケット（２，３，５）に巻掛け、かつ前記リンクプレートの背面をチェーンガイド（７，９，１０）に摺接して案内するチェーン伝動装置（１）において、
前記潤滑環境は、潤滑油にモリブデン化合物を含有する摩擦調整剤が添加された環境であり、
前記チェーンガイドに摺接する前記リンクプレートの面積は、全ての前記リンクプレートの背面側面積の５０％以下の小面積であり、
前記チェーンガイドに摺接する前記リンクプレートの少なくとも摺接部分は、クロム成分を１０％以上含有する皮膜を有し、
境界潤滑領域において、前記モリブデン化合物の分解の過程でクロムに酸素を供給することにより二硫化モリブデンの生成を促進する、
ことを特徴とするチェーン伝動装置にある。
【手続補正３】
【補正対象書類名】明細書
【補正対象項目名】００１０
【補正方法】変更
【補正の内容】
【００１０】
例えば図２〜図４を参照して、前記サイレントチェーン（６１）にあって、前記ガイドリンクプレート（１７）は、背面側にクロッチ部（２７）と該クロッチ部の長手方向の両側に耳部（２９）を有し、
前記外側リンク（１９）及び前記内側リンク（１８）の歯付きリンクプレート（１６，１６１，１６２）は、背面がアール形状の中高（２５）であり、
前記ガイドリンクプレートの前記耳部の頂部（３０）と前記歯付きリンクプレート（１６）の前記中高（２５）の頂部とが、前記チェーンガイド（７）に摺接する小面積（Ａ，Ｂ）を構成してなる。
【手続補正４】
【補正対象書類名】明細書
【補正対象項目名】００２２
【補正方法】変更
【補正の内容】
【００２２】
リンクプレートの背面がアール形状の中高となるローラチェーン（ブシュチェーンも含む）に適用した場合も、チェーンガイドと摺接するリンクプレートの中高の頂部は、リンクプレート背面側面積の１０［％］以下の小面積となって、上述同様に、チェーン伝動装置の使用状態全体における摩擦の大幅な低減を図ることができる。
【手続補正５】
【補正対象書類名】明細書
【補正対象項目名】００３１
【補正方法】変更
【補正の内容】
【００３１】
上記歯付きリンクプレート１６のピッチラインの外径側である背面側は、所定半径Ｒのアール形状からなり、従って左右ピン孔２４，２４間の中央である中央部が最も高くなる中高２５となる。上記ピッチラインＬ−Ｌから、最も高い中央の中高２５の頂部までの長（高）さＨｉが所定値に設定されている。上記背面側Ｒは、ピン孔間隔であるピッチＰに対して、３Ｐ〜１６Ｐの間に設定されることが好ましい。また、上記中高２５の頂部を含むアール形状側端面は、高い精度で研削、研磨加工されて精密仕上げされている（例えばＲａ０．０５〜０．５）。
【手続補正６】
【補正対象書類名】明細書
【補正対象項目名】００３３
【補正方法】変更
【補正の内容】
【００３３】
前記ピッチラインＬ−Ｌから、上記耳部２９の頂部３０までの長さ（高さ）Ｈｇは、前記歯付きリンクプレート１６の背面中高２５の頂部までの長さ（高さ）Ｈｉと実質的に等しくなるように設定されている（Ｈｉ＝Ｈｇ）。なお、上記実質的に等しいとは、歯付きリンクプレート１６及びガイドリンクプレート１７の背面がチェーンガイドに接する際に共に接することを意味し、歯付きリンクプレート１６のピン孔２４とピン１５との遊嵌関係に起因するクリアランスの１／２の程度の相違は、実質的に等しい範囲に含まれる。
【手続補正７】
【補正対象書類名】明細書
【補正対象項目名】００３６
【補正方法】変更
【補正の内容】
【００３６】
上記タイミングチェーン伝動装置１を構成する上記サイレントチェーン６１は、その背面がチェーンガイド７，９，１０に摺接して案内されるが、該摺接面は、歯付きリンクプレート１６にあっては中高２５の頂部であり、ガイドリンクプレート１７にあっては耳部の頂部３０であり、いずれにあっても小面積である。該小面積は、リンクプレート１６，１７の背面側面積、即ち両ピン孔２４，２４の中心からピッチラインＬ−Ｌと直交して延びる線との間の全リンクプレート背面側面積に対して小面積であることを示し、本実施の形態にあって、背面側面積の１０％以下、好ましくは５％以下である。
【手続補正８】
【補正対象書類名】明細書
【補正対象項目名】００４０
【補正方法】変更
【補正の内容】
【００４０】
図４は、本サイレントチェーン６１がチェーンガイド７，９，１０に摺接する状況を示す。チェーンガイドは、張り側のチェーンガイド７を代表として示すが、他のチェーンガイド９，１０も同様である。サイレントチェーン６１は、チェーンガイド７のガイド面７ａに、歯付きリンクプレート１６が中高２５の頂部で接触し、ガイドリンクプレート１７が耳部の頂部３０で接触する。上記中高２５の頂部は、ピン１５の間隔である１ピッチＰの中央にあって、各歯付きリンクプレート１６に対して１個であるが、歯付きリンクプレート１６は、ガイドリンク列Ｇ（外側リンク１９）とノンガイドリンク列Ｎ（内側リンク１８）とが交互に連結され、従って上記中高２５の頂部の接触部Ａは、側面視において、各ピッチＰの中央部において各ピッチＰ毎に１個となる。上記耳部の頂部３０は、各ガイドリンクプレート１７に対して各ピン１５上における２個であって、ガイドリンク列Ｇのみであり、従って上記耳部の頂部３０の接触部Ｂは、各ピン（ピッチ）上において各ピッチＰ毎に１個となる。
【手続補正９】
【補正対象書類名】明細書
【補正対象項目名】００４３
【補正方法】変更
【補正の内容】
【００４３】
従って、本サイレントチェーン６１は、図５に示すように、サイレントチェーン６１の背面とチェーンガイド７，９，１０との間に潤滑油を介在する流体潤滑領域にあっては、例えばリンクプレート背面が直線からなりチェーンガイドとの接触面積が比較的大きい場合、高い摩擦係数μからなる高領域Ｄになるのに対し、中高２５の頂部及び耳部の頂部３０からなる小面積（Ａ，Ｂ）である本実施の形態にあっては、低い摩擦係数μからなる低領域Ｅとなって、摩擦損（フリクションロス）は小さい。
【手続補正１０】
【補正対象書類名】明細書
【補正対象項目名】００５１
【補正方法】変更
【補正の内容】
【００５１】
上記外側リンクプレート４７及び内側リンクプレート４６は、ピン孔５７及びブシュ孔６１以外は同形状からなり、各リンクプレート４７，４６の背面（上面）５５，５９が共にチェーンガイドに摺接する。各リンクプレート４７，４６の背面５５，５９は、アール形状の中高からなり、各リンクプレートの長手方向中央部分の該中高の頂部でチェーンガイドに摺接する。従って、本実施の形態によるローラチェーン６２にあっても、先の実施の形態によるサイレントチェーン６１と同様に、小面積でチェーンガイドに摺接する。該中高５５，５９の頂部による摺接面積は、全リンクプレートの背面側面積の１０％以下、好ましくは５％以下である。本ローラチェーン６２の外側リンクプレート４７及び内側リンクプレート４６は、共に表面に硬質クロムメッキ、又はクロム拡散処理（クロマイジング）によるクロム炭化物で皮膜されており、該皮膜は、クロム成分が１０％以上含有している。本ローラチェーン６２は、先の実施の形態と同様に、ＭｏＤＴＣ等のモリブデン化合物からなる摩擦調整剤が混入されたエンジンオイルによる潤滑環境で使用される。なお、ローラチェーン６２は、上述した１列に限らず、複数列のローラチェーンにも同様に適用可能である。また、ローラチェーンからローラを省いたブシュチェーンにも同様に適用可能である。即ち、本発明にあっては、ローラを有する狭義のローラチェーンの外に、ローラを有さないブシュチェーンもローラチェーンに含むように定義する。